(57)【特許請求の範囲】
【請求項１】
下水道や共同溝等の地下構造物の驅体と、その驅体の上方で、上面が路面ないし地面と一致するように位置決めされた地下構造物用蓋がセットされる蓋受枠との間に、モルタル等の充填材を充填するときに用いられる蓋受枠設置用の内型枠装置であって、
前記驅体に設けられた開口の内壁面及びその驅体に設けられた開口に対応して設けられた前記蓋受枠の開口の内壁面間に内張りされる帯板状の内型枠と、その内型枠を内張りしたときのその内型枠の長手方向両端面を互いに離れる方向に付勢する付勢具と、内張りされた内型枠の長手方向両端部と、前記驅体に設けられた開口の内壁面及び前記蓋受枠の開口の内壁面との間において、前記内型枠の離間された長手方向両端部の間に形成される間隙を閉止する閉止板とを備えたことを特徴とする地下構造物の蓋受枠設置用の内型枠装置。
【発明の詳細な説明】
【０００１】
【産業上の利用分野】
本発明は、下水道や共同溝等の地下構造物の蓋受枠を驅体の開口上部に設置する際に使用する蓋受枠設置用の内型枠装置に関する。
【０００２】
【従来の技術】
従来、下水道や共同溝等のマンホール等地下構造物の開口部には、路面ないし地面（以下、路面という）と同一面を有する蓋が設けられている。この蓋は、地下構造物の驅体に設けられている開口の周囲の上部に、蓋受枠を設け、その蓋受枠に開閉自在に設けられるように構成されている。
【０００３】
蓋の上面と路面とを一致させるには、驅体の開口部周囲に植設された３本以上の複数のアンカーボルトに、蓋受枠のつば部に設けられている穴を挿入するとともに、蓋受枠に蓋がセットされたときの上面が路面と一致するように位置決めした後、その驅体と蓋受枠のつば部との間に、無収縮性で、かつ急硬性のモルタルの充填材を充填して行われる。
【０００４】
この充填材の充填に際しては、驅体と受枠との間隙の内側と外側とをリング状の内型枠と外型枠で密閉して充填用空間を形成した後、その充填用空間に充填材が充填される。そして、充填材が固化した後に、型枠は除去される。
【０００５】
【発明が解決しようとする課題】
しかしながら、充填材を充填するときに用いられる従来の型枠は、長手方向両端部が重なり合ったリング状に形成しなければならないために施工が面倒であるとともに、開口部の円周に沿った曲面を作り出すために、ステンレス製薄板などの金属帯板から作られるのでコスト高になる欠点があった。
【０００６】
そこで、本発明は、上記欠点を解決するためになされたものであって、その目的は、施工が容易で、かつ低コストに製造することのできる蓋受枠設置用の内型枠装置を提供することにある。
【０００７】
【課題を解決するための手段】
請求項１に係る発明は、上記目的を達成するために、下水道や共同溝等の地下構造物の驅体と、その驅体の上方で、上面が路面ないし地面と一致するように位置決めされた地下構造物用蓋がセットされる蓋受枠との間に、モルタル等の充填材を充填するときに用いられる蓋受枠設置用の内型枠装置であって、前記驅体に設けられた開口の内壁面及びその驅体に設けられた開口に対応して設けられた前記蓋受枠の開口の内壁面間に内張りされる帯板状の内型枠と、その内型枠を内張りしたときのその内型枠の長手方向両端面を互いに離れる方向に付勢する付勢具と、内張りされた内型枠の長手方向両端部と、前記驅体に設けられた開口の内壁面及び前記蓋受枠の開口の内壁面との間において、前記内型枠の離間された長手方向両端部の間に形成される間隙を閉止する閉止板とを備えたことを特徴としている。
【０００８】
【作用】
上記構成において、内型枠は、驅体に設けられた開口の内壁面及びその驅体に設けられた開口に対応して設けられた蓋受枠の開口の内壁面間に内張りされる。両端面が付勢具により互いに離れる方向に付勢されて、驅体の内壁面と蓋受枠の内壁面に密着される。閉止板は、内型枠の端面間と驅体の開口の内壁面及び蓋受枠の開口の内壁面との隙間を閉じる。
【０００９】
【実施例】
以下、本発明の実施例を図面に基づいて説明する。図１は、一実施例に係る内型枠装置を用いて、無収縮性で、かつ急硬性のモルタルを充填している状態の断面図である。内型枠装置は、図２に示すように、内型枠１ｃと、付勢具３と、閉止板２とから構成されている。
【００１０】
蓋Ａが開閉自在にセットされる蓋受枠Ｂは、地下構造物の驅体Ｃの開口部Ｃ′の周囲上方に設けられている。すなわち、この蓋受枠Ｂは、驅体Ｃの上部に充填された充填材Ｄを介して蓋Ａの上面が路面Ｇと一致するように調整され、驅体Ｃに植設されたアンカーボルトＥ及びそのアンカーボルトＥに螺合されるナットＦ1 ，Ｆ2 により固定されている。
【００１１】
内型枠１及び外型枠１０は、上記充填材Ｄを充填するときに用いられるものであって、共に紙製であり、このうち、内型枠１は厚さ１０ｍｍ程度の厚紙から形成され、また、外型枠１０は、例えば牛乳パックに使用されているようなシート状の紙から形成されている。そして、両型枠１，１０は、少なくとも充填材Ｄと接する面側は、図示しないが、パラフィン紙等の不透水性材が貼付されて防水加工が施されている。
【００１２】
驅体Ｃの上面と蓋受枠Ｂのつば部ｂとの間に形成される空間の内側、つまり開口部Ｃ′側には、上記内型枠１が内張りされ、その空間の外側には外型枠１０が外張りされて充填材Ｄの充填される充填用空間ｄが形成される。
【００１３】
充填材Ｄの充填は、つば部ｂに設けられた穴ｂ′から注入して行われる。この穴ｂ′は、アンカーボルトＥ用の挿入口間にほぼ等間隔に複数個（図１では１個のみ開示）、かつ、つば部ｂに設けられた肉厚部に設けられ、しかもアンカーボルトＥ用の挿入口よりも大きな開口面積に形成されている。したがって、開口面積の大きな穴ｂ′から充填材Ｄの注入が可能で、充填材Ｄが極めて容易に行える特長があるとともに、一方の穴ｂ′から充填材Ｄを注入したときに、他方の穴ｂ′から空気が容易に抜けて充填材Ｄが充填用空間ｄ内全部に行きわたらせることができる。また、他方の穴ｂ′から充填材Ｄが流出したときに、充填用空間ｄ内に十分に充填材Ｄが充填されたことを知ることができる。そして、穴ｂ′が多数設けられているので、充填用空間ｄ内の充填材Ｄの不足している部分に対して効率よく注入することができる。なお、穴ｂ′の開口面積が大きくとも、その穴ｂ′部分は肉厚に形成されているので、つば部ｂの強度が低下するおそれがない。
【００１４】
次に図２〜図５を用いて、内型枠１及び外型枠１０の張設方法について説明する。
【００１５】
先ず、驅体Ｃに植設されている３本（図１では１本であるが、つば部ｂの円周を３等分するように植設されている。）のアンカーボルトＥにナットＦ1 が螺合される。ナットＦ1 の下部には平面が三角形の回転片Ｈが固定されているので、その回転片Ｈを回転することにより、ナットＦ1 の高さを調整することができる。しかも、この回転片Ｈの三角形の頂部分には穴Ｈ′がそれぞれ設けられているので、この穴Ｈ′に充填材Ｄが入り込み、充填材Ｄが固化したときは、回転片Ｈの回動が効果的に阻止される。
【００１６】
支持部材Ｊは、ナットＦ1 を覆い、かつ上面が球面に形成された硬質プラスチックスから構成されている。したがって、路面Ｇが傾斜していても、蓋受枠Ｂをその傾斜に容易に合わせて取付けることができる。
【００１７】
支持部材Ｊの当接するつば部ｂの部分、すなわちアンカーボルトＥの挿入される部分は、上記ナットＦ1 及び支持部材Ｊが挿入できる下部開口の凹部に形成されている。したがって、蓋受枠Ｂの高さ調整において、つば部ｂの下面と驅体Ｃの上面との間隙がほんのわずかの微調整の場合でも有効に対処することができる。
【００１８】
蓋受枠Ｂは、蓋Ａの上面が路面Ｇと一致するようにナットＦ1 高さが調整された後、アンカーボルトＥにナットＦ2 が螺合されて驅体Ｃに固定される。そして、この状態で内型枠１及び外型枠１０が張設される。
【００１９】
内型枠１の張設から説明すると、図２に示されるように、帯状の厚紙をリング状に形成した内型枠１が開口部Ｃ′に挿入され、つば部ｂの開口の内壁面と開口部Ｃ′の内壁面との間にセットされる（図１参照）。
【００２０】
この内型枠１は、外部から力を加えないときは、つば部ｂの開口及び驅体Ｃの開口部Ｃ′の開口円よりも大きな円となるように成形されているとともに、つば部ｂの開口及び驅体Ｃの開口部Ｃ′に挿入されたときは、帯状の一対の端面１ａ，１ｂ間に、後述の付勢具の先端が挿入できる間隙を有するように、予め帯状の長さが決められている。
【００２１】
図２中、２は閉止板であって、上記両端面１ａ，１ｂ間の間隙を閉止するために用いられる薄い鋼板から構成されている。すなわち、この閉止板２は、内型枠１がつば部ｂと驅体Ｃとの間にセットされた後、端面１ａ，１ｂの間隙の部分で、内型枠１とつば部ｂの開口の内周壁面及び驅体Ｃの開口部Ｃ′の内周壁面との間に挿入される。
【００２２】
図２中、３は付勢具であって、上記端面１ａ，１ｂを互いに離す方向に付勢するように用いられる。すなわち、この付勢具３は、先端が互いに向き合う方向に折れ曲った一対の板片３ａ，３ｂを有し、一方の板片３ａには他方の板片３ｂに向かうボルト３ｃが植設されている。そして、他方の板片３ｂにはボルト３ｃに対応した穴が設けられていて、一対のナット３ｄ，３ｅでその他方の板片３ｂを固定できるように構成されている。また、一方の板片３ａには、開口部Ｃ′の内壁に設けられている図示しないステップ等に着脱自在に取付けられる脱落防止具３ｆが設けられている。
【００２３】
図３を用いて内型枠１の付勢の仕方について説明すると、先ず、一対のナット３ｄ，３ｅの間隙を十分にあけた状態で、一対の板片３ａ，３ｂの先端部を端面１ａ，１ｂ間に挿入する（図３（ａ）参照）。次いで、他方の板片３ｂが一方の板片３ａから離れる方向に一対のナット３ｄ，３ｅの螺合位置が調整される。これにより、一対の端面１ａ，１ｂは、互いに離れる方向に付勢される。
【００２４】
この付勢具３によって、内型枠１は、蓋受枠Ｂと驅体Ｃとの間に強固に固定され、充填用空間ｄにモルタルが充填されても十分に型枠としての機能を有することができる。また、端面１ａ，１ｂ間には閉止板２がセットされているので、端面１ａ，１ｂ間から充填材が漏れるのを効果的に防止することができる。なお、必要に応じて、内型枠１の内側の直径方向にターンバックルで直径方向長さの調整可能な支持部材を設けてさらに補強するようにしてもよい。
【００２５】
図４は、路面Ｇが傾斜していて、蓋受枠Ｂがその傾斜に合わせて驅体Ｃに取付けられたときの内型枠１を示している。蓋受枠Ｂが傾斜した場合、内側枠１も同図（ａ）に示されるように路面Ｇの傾斜角に対応した所定の確度θだけ傾斜した形状となる。この傾斜した状態においても付勢具３が正常にセットできるようにするために、両端面１ａ，１ｂは平行に保たれていなければならない。そこで、同図（ｂ）に示されるように、両端面１ａ，１ｂは、鎖線で示される三角形部分が図示しないカッターにより予め切断される。
【００２６】
以上のように、蓋受枠Ｂが傾斜して位置される場合であっても、内型枠１は厚紙からなるので、端面１ａ，１ｂを容易に切断でき、容易に対処することができる。
【００２７】
次に、図５を用いて外型枠１０について説明する。この帯状の外型枠１０の一端側には、伸縮性をする接着テープ１０ａが設けられている。そして、この帯状の外型枠１０で蓋受枠Ｂのつば部ｂの外周及び驅体Ｃの外周が巻回される。その後、接着テープ１０ａで外型枠１０の他端側が接着されて固定され、充填用空間ｄの外側が覆われる（図１参照）とともに、伸縮性の接着テープ１０ａの作用によりつば部ｂ及び驅体Ｃの外周に圧接される。次いで、つば部ｂ及び驅体Ｃの外周よりも十分に小さい一対のリング状ゴムからなるバンド部材１１ａ，１１ｂで、外型枠１０の外側から保持されてさらに補強される。
【００２８】
したがって、充填用空間ｄに充填材が充填される際は、型枠としての機能を十分に果たすことができる。
【００２９】
以上のように、本実施例に係る内型枠１及び外型枠１０は、紙製からなるため、安価に製造でき、また、取付け，取外しが容易であるため施工が簡単になる特長がある。しかも、防水加工が施されているので繰返し使用が可能で、また、再生紙を利用して製造することができるだけでなく、廃棄処分するときも焼却処理ができるなどの種々の効果を有することができる。
【００３０】
【発明の効果】
本発明に係る内型枠装置は、驅体に設けられた開口の内壁面及びその驅体に設けられた開口に対応して設けられた蓋受枠の開口の内壁面間に内張りされる帯板状の内型枠と、その内型枠を内張りされたときのその内型枠の長手方向両端面を互いに離れる方向に付勢する付勢具と、内張りされた内型枠の長手方向両端部と、前記驅体に設けられた開口の内壁面及び前記蓋受枠の開口の内壁面との間において、前記内型枠の離間された長手方向両端部の間に形成される間隙を閉止する閉止板とを設けたので、内型枠を簡単にかつ確実に取付けることができ、かつ、間隙からの充填材の漏出を効果的に防止することができる。
【図面の簡単な説明】
【図１】  本発明の一実施例に係る内型枠装置を用いて充填材を充填しているときの断面図である。
【図２】  内型枠装置の分解斜視図である。
【図３】  付勢具の使用状態を示す説明図である。
【図４】  蓋受枠が傾斜して取付けられるときの内型枠の説明図である。
【図５】  外型枠及びバンド部材の斜視図である。
【符号の説明】
Ａ      蓋（地下構造物用蓋）
Ｂ      蓋受枠（地下構造物用蓋受枠）
ｂ′      穴
Ｃ      驅体
Ｃ′      開口部
Ｄ      充填材（モルタル）
ｄ      充填用空間
Ｅ      アンカーボルト
Ｆ1 ，Ｆ2       ナット
Ｊ      支持部材
Ｈ      回転片
Ｇ      路面（地面）
１      内型枠（設置用内型枠）
１ａ，１ｂ      端面
２      閉止板
３      付勢具
３ａ，３ｂ      板片
３ｃ      ボルト
３ｄ，３ｅ      ナット
１０      外型枠
１１ａ，１１ｂ      バンド部材
【図１】
0003672606.tif 000002
【図２】
0003672606.tif 000003
【図３】
0003672606.tif 000004
【図４】
0003672606.tif 000005
【図５】
0003672606.tif 000006